(57)【要約】【課題】ＬＥＤ点灯装置において、点灯開始時におけるＬＥＤの閃光の発生と、最大定格電流超えとを抑制する。【解決手段】ＬＥＤ点灯装置１２０は、制御を受けることによって、制御に応じた大きさの直流電流をＬＥＤ１３にＬＥＤ電流として供給する降圧チョッパ回路１２と、降圧チョッパ回路１２によって供給されるＬＥＤ電流の値を示す信号を検出信号として検出するＬＥＤ電流検出抵抗１４と、ＬＥＤ電流検出抵抗１４によって検出された検出信号の値を補正するオフセット信号印加回路２１と、補正された検出信号を示す補正検出信号の値と、ＬＥＤ電流の電流値目標となる信号を示す目標信号の値との比較に基づき、補正検出信号が目標信号に近付くように降圧チョッパ回路１２をフィードバック制御するフィードバック制御部５０とを備えた。【選択図】図１
2011249174.tif 000002
【特許請求の範囲】
【請求項１】
制御を受けることによって、制御に応じた大きさの直流電流をＬＥＤ（Ｌｉｇｈｔ  Ｅｍｉｔｔｉｎｇ  Ｄｉｏｄｅ）にＬＥＤ電流として供給する供給部と、
前記供給部によって供給される前記ＬＥＤ電流の値を示す信号を検出信号として検出する検出部と、
前記検出部によって検出された前記検出信号の値を補正する補正部と、
前記補正部によって補正された前記検出信号を示す補正検出信号の値と、前記ＬＥＤ電流の電流値目標となる信号を示す目標信号の値との比較に基づき、前記補正検出信号が前記目標信号に近付くように前記供給部をフィードバック制御するフィードバック制御部と
を備えたことを特徴とするＬＥＤ点灯装置。
【請求項２】
前記補正部は、
前記フィードバック制御部による前記供給部に対する制御が、前記ＬＥＤ電流を減少させる制御となるように、前記検出信号を補正することを特徴とする請求項１記載のＬＥＤ点灯装置。
【請求項３】
前記ＬＥＤ点灯装置は、
前記ＬＥＤの消灯状態において前記ＬＥＤの点灯を指示する点灯指示信号を入力し、
前記補正部は、
前記点灯指示信号の入力時から所定期間だけ、前記検出信号を補正することを特徴とする請求項１または２のいずれかに記載のＬＥＤ点灯装置。
【請求項４】
前記ＬＥＤ点灯装置は、
前記ＬＥＤの消灯状態において前記ＬＥＤの点灯を指示する点灯指示信号を入力し、
前記ＬＥＤ点灯装置は、さらに、
前記点灯指示信号の入力時から所定期間だけ第１の目標信号を生成し、前記所定期間が経過すると前記１の目標信号から第２の目標信号に生成を切り替える目標信号生成部を備えたことを特徴とする請求項１〜３のいずれかに記載のＬＥＤ点灯装置。
【請求項５】
前記ＬＥＤ点灯装置は、さらに、
光出力を指示する調光信号を送信する調光信号送信装置から前記調光信号を受信し、受信した調光信号の指示する光出力に対応する前記目標信号を生成する目標信号生成部を備えたことを特徴とする請求項１〜３のいずれかに記載のＬＥＤ点灯装置。
【請求項６】
前記目標信号生成部は、
前記調光信号送信装置から前記調光信号を受信すると、前記調光信号の指示する光出力に対応する値に、前記目標信号を徐々に近づけることを特徴とする請求項５記載のＬＥＤ点灯装置。
【請求項７】
前記目標信号生成部は、
前記調光信号送信装置から前記調光信号を受信すると、前記調光信号の指示する光出力に対応する値よりも低い光出力に対応する前記目標信号を生成することを特徴とする請求項５記載のＬＥＤ点灯装置。
【請求項８】
前記ＬＥＤ点灯装置は、
前記ＬＥＤの消灯状態において前記ＬＥＤの点灯を指示する点灯指示信号を入力し、前記ＬＥＤの点灯状態において前記ＬＥＤの消灯を指示する消灯指示信号を入力し、
前記フィードバック制御部は、
前記消灯指示信号を入力した後、引き続き所定の期間内に前記点灯指示信号を入力した場合には、前記所定の期間が経過するまで前記供給部の制御を停止することを特徴とする請求項１〜７のいずれかに記載のＬＥＤ点灯装置。
【請求項９】
前記ＬＥＤ点灯装置は、
商用電源の供給によって動作すると共に、前記商用電源の供給と遮断とを検出する商用電源検出部と、
前記商用電源検出部により前記商用電源の遮断が検出されると前記フィードバック制御部への電源供給を遮断し、前記商用電源検出部により再び商用電源の投入が検出されると前記フィードバック制御部に電源供給を開始する商用電源監視部と
を備えたことを特徴とする請求項８記載のＬＥＤ点灯装置。
【請求項１０】
請求項１〜９のいずれかに記載のＬＥＤ点灯装置を備えたことを特徴とする照明器具。
【発明の詳細な説明】
【技術分野】
【０００１】
この発明は、ＬＥＤ点灯装置及び照明装置に関する。
【背景技術】
【０００２】
従来、発光ダイオード（ＬＥＤ）点灯装置は商用交流電源を整流、平滑して直流電圧を生成するＡＣ−ＤＣ変換回路部と、得られた直流電圧からＬＥＤに最適な電流を供給するＤＣ−ＤＣコンバータ部を備える。ＡＣ−ＤＣ変換回路部は一般的にコンデンサインプット型整流回路や、昇圧チョッパ回路を用いた力率改善回路が用いられ、ＤＣ−ＤＣコンバータ部はフライバックコンバータや、降圧チョッパ回路を用い、定電流制御によりＬＥＤに電流を供給する。
【０００３】
フライバックコンバータや、降圧チョッパ回路はスイッチング素子をオンすることによりトランスまたはインダクタにエネルギーを蓄え、スイッチング素子をオフすることによりトランスまたはインダクタに蓄えられたエネルギーを負荷側に放出する。このスイッチング素子のオン・オフを高速に繰り返すことによりＬＥＤに電流が供給される。エネルギー損失が小さく、高効率なＬＥＤ点灯装置を得ることができる。
【０００４】
定電流制御はＬＥＤと直列に接続された電流検出抵抗からＬＥＤに流れる電流を検出し、フィードバック制御によりスイッチング素子のオン時間を調節し、ＬＥＤに流れる電流を調節することで一定の電流をＬＥＤに供給する。これにより外部より入力される調光信号を目標電流値として、ＬＥＤの明るさを調節する調光点灯も容易に達成することができる（例えば特許文献１参照）。
【先行技術文献】
【特許文献】
【０００５】
【特許文献１】特開２００５−１４２１３７
【発明の概要】
【発明が解決しようとする課題】
【０００６】
ここで、上述のようなＬＥＤ電源装置では、点灯開始直後のＬＥＤ電流がゼロから設定した目標電流値に上昇する際、フィードバック制御系の遅れによりＬＥＤ電流が瞬間的に目標電流値を超えてオーバーシュートすることがある。この場合、オーバーシュートした電流により点灯開始時に閃光が生じたり、あるいはオーバーシュートした電流がＬＥＤの最大定格電流をオーバーして最悪ＬＥＤが破壊する恐れがあった。
【０００７】
本発明は、簡単な回路構成により、点灯開始時におけるＬＥＤの閃光の発生及び最大定格電流を超えることを抑制するＬＥＤ点灯装置の提供を目的とする。
【課題を解決するための手段】
【０００８】
この発明のＬＥＤ点灯装置は、
制御を受けることによって、制御に応じた大きさの直流電流をＬＥＤにＬＥＤ電流として供給する供給部と、
前記供給部によって供給される前記ＬＥＤ電流の値を示す信号を検出信号として検出する検出部と、
前記検出部によって検出された前記検出信号の値を補正する補正部と、
前記補正部によって補正された前記検出信号を示す補正検出信号の値と、前記ＬＥＤ電流の電流値目標となる信号を示す目標信号の値との比較に基づき、前記補正検出信号が前記目標信号に近付くように前記供給部をフィードバック制御するフィードバック制御部と
を備えたことを特徴とする。
【発明の効果】
【０００９】
本発明により、簡単な回路構成で、点灯開始時におけるＬＥＤの閃光の発生及び最大定格電流を超えることを抑制するＬＥＤ点灯装置を提供できる。
【図面の簡単な説明】
【００１０】
【図１】実施の形態１のＬＥＤ点灯装置１１０の回路図。
【図２】実施の形態１のＬＥＤ点灯装置１１０の回路図の一部。
【図３】実施の形態１の回路動作を示すフローチャート。
【図４】実施の形態１のＬＥＤ点灯装置１１０の回路図。
【図５】実施の形態２のＬＥＤ点灯装置１２０の回路図。
【図６】実施の形態２のＬＥＤ点灯装置１２０のＬＥＤ電流目標値を示す波形図。
【図７】実施の形態３のＬＥＤ点灯装置１３０の回路図。
【図８】実施の形態３のＬＥＤ点灯装置１３０の動作波形図。
【図９】実施の形態３のＬＥＤ点灯装置１３０の動作波形図。
【図１０】実施の形態４のＬＥＤ照明器具１０００の側断面図。
【発明を実施するための形態】
【００１１】
以下の実施の形態１〜３では、ＬＥＤ点灯装置を説明する。以下のＬＥＤ点灯装置は、商用交流電源の投入あるいは調光機能を有する場合には点灯を指示する信号でＬＥＤの点灯を開始する。また、商用交流電源の遮断あるいは調光機能を有する場合には消灯信号でＬＥＤを消灯する。この場合、商用交流電源の投入、点灯を指示する信号は点灯指示信号であり、商用交流電源の遮断あるいは消灯信号は消灯指示信号である。
【００１２】
実施の形態１．
図１〜図４を参照して実施の形態１のＬＥＤ点灯装置１１０を説明する。
図１は、ＬＥＤ点灯装置１１０の回路図である。ＬＥＤ点灯装置１１０は、商用交流電源１より電力の供給を受けてＬＥＤ１３を点灯させる装置である。図１において、商用交流電源１とＬＥＤ１３以外は、ＬＥＤ点灯装置１１０の構成要素である。ＬＥＤ点灯装置１１０は、整流回路２と、第１インダクタ３、第１スイッチング素子４、ダイオード５、第１平滑コンデンサ６からなる昇圧チョッパ回路７と、第２スイッチング素子８、第２インダクタ９、環流ダイオード１０、第２平滑コンデンサ１１からなる降圧チョッパ回路１２（供給部の一例）と、制御ＩＣ１７と、制御電源回路２０と、オフセット信号印加回路２１（補正部の一例）と、フィードバック制御部５０とを備えている。フィードバック制御部５０はオペアンプ１６と制御ＩＣ１８等を備えている。また、フィードバック制御部５０の抵抗２２ａと抵抗２２ｂとの直列接続からなる分圧抵抗２２と、抵抗２２ｂに並列に接続するスイッチ部２３とは、後述の目標信号を生成する目標信号生成部を構成する。
【００１３】
降圧チョッパ回路１２では、ＬＥＤ１３の電流を検出するためＬＥＤ電流検出抵抗１４（検出部の一例）がＬＥＤ１３と直列に設けられている。ＬＥＤ電流検出抵抗１４は抵抗１５を介してオペアンプ１６の反転入力端子に接続される。昇圧チョッパ回路７は制御ＩＣ１７により制御され、降圧チョッパ回路１２は制御ＩＣ１８により制御される。制御ＩＣ１８の、第２スイッチング素子８のオンデューティ比を調整する端子１８ａ（以下、フィードバック制御端子という）には、ダイオード１９ａを介してオペアンプ１６の出力端子が接続されている。制御ＩＣ１７、制御ＩＣ１８、オペアンプ１６の駆動用電源は制御電源回路２０より供給される。
【００１４】
整流回路２は、商用交流電源１から供給される交流電圧を全波整流する。昇圧チョッパ回路７は制御ＩＣ１７により駆動・制御され、入力電流の波形を正弦波状に制御し、力率を改善する目的で設けられている。さらに昇圧チョッパ回路７は整流回路２で全波整流された直流電圧を昇圧、平滑化し、第１平滑コンデンサ６の電圧を一定に保つ。なお、力率改善を行わない場合は、昇圧チョッパ回路７は必要なく、直流電圧を生成する回路構成であれば昇圧チョッパ回路構成以外の回路構成でもよく、例えばコンデンサインプット形整流回路でも良い。整流回路２は例えばダイオードブリッジを構成する。
【００１５】
降圧チョッパ回路１２は、制御ＩＣ１８により駆動・制御され、ＬＥＤ１３に電流を供給する。ＬＥＤ電流検出抵抗１４はＬＥＤ電流を電圧信号（検出信号の一例）に変換する役割を果たす。抵抗１５、コンデンサ１９ｂ、オペアンプ１６は積分回路を構成し、ＬＥＤ電流検出抵抗１４により検出された電圧信号はオペアンプ１６の反転入力端子側に入力される。さらに反転入力端子には、ＬＥＤ電流検出抵抗１４からの電圧信号とは別に、抵抗２１ａと電圧源２１ｂからなるオフセット信号印加回路２１が接続され、電圧信号（以後、オフセット信号と呼ぶ）が印加されている。すなわちオフセット信号印加回路２１はオフセット信号によって、検出された電圧信号（ＬＥＤ電流に対応）を補正する。一方、非反転入力端子にはＬＥＤ電流目標信号として、ここでは制御電源回路２０から分圧抵抗２２により分圧された電圧信号が入力されている。また、非反転入力端子にはスイッチ部２３が設けられ、非反転入力端子の電圧レベルをグランドレベルに引き下げる機能を有する。
【００１６】
降圧チョッパ回路１２のＬＥＤ電流値の調整は、第２スイッチング素子８のオンデューティ比により行い、このオンデューティ比は制御ＩＣ１８のフィードバック制御端子１８ａの電圧で決まる。すなわち、フィードバック制御端子１８ａから電流が出力され、この出力電流値に応じてフィードバック制御端子電圧が決定する。実施の形態１では、フィードバック制御端子１８ａは、ダイオード１９ａを介してオペアンプ１６の出力端子に接続されている。従って、オペアンプ１６の出力電圧に応じて制御ＩＣ１８のフィードバック制御端子１８ａの出力電流が変化し、第２スイッチング素子８のデューティ比が変化する。ここでは、フィードバック制御端子１８ａの電圧が高くなると第２スイッチング素子８のオンデューティ比が大きくなり、フィードバック制御端子電圧が低くなるとオンデューティ比が小さくなるとして説明する。ちなみにダイオード１９ａはオペアンプ１６の出力電圧が過大となった場合に制御ＩＣ１８を保護する目的で用いており、制御ＩＣに破損の恐れがない場合は必要ない。
【００１７】
制御ＩＣ１８より出力されるスイッチング素子の駆動信号は第２スイッチング素子８（ここではＭＯＳＦＥＴとする）のゲートに入力されるが、本実施の形態１では、第２スイッチング素子８が高圧側に設けられているため、駆動回路２４により駆動信号が電気的に絶縁されて、伝達される。駆動回路２４は信号の絶縁のため一般的にトランスやフォトカプラが用いられる。
【００１８】
制御電源回路２０は制御ＩＣ１７、制御ＩＣ１８やオペアンプ１６等からなる制御回路に電源を供給する。回路構成は、例えば図示していないが、第２インダクタ９の２次巻き線から供給する方法や、第１平滑コンデンサ６よりスイッチング電源を介して適切な電圧に変換され、制御電源として制御回路に供給する方法がある。本実施の形態１では、後者のように第１平滑コンデンサ６に制御電源回路２０を接続し、制御電源回路２０により適切な電圧に変換し、制御回路に印加するものとする。
【００１９】
以上のようにＬＥＤ電流検出抵抗１４は、ＬＥＤを流れるＬＥＤ電流を検出して、検出したＬＥＤ電流の電流値に比例するＬＥＤ電流検出電圧を生成する。目標信号生成部は、ＬＥＤ電流の目標値に基づいて、目標電圧を生成する。フィードック制御部５０は、ＬＥＤ電流検出電圧と目標電圧とを比較して、ＬＥＤ電流検出電圧と目標電圧とが一致する方向に、ＬＥＤ電流を調節する。オフセット信号印加回路２１は、ＬＥＤ電流検出電圧にオフセット信号を重畳する。この重畳によって、ＬＥＤが消灯時は、フィードバック制御部５０に、目標信号生成部によって生成される目標電圧よりもＬＥＤ電流検出電圧の方が高いと判断させる。
【００２０】
以上、本実施の形態１に係るＬＥＤ点灯装置１１０の構成について説明した。次に、本実施の形態１に係るＬＥＤ点灯装置１１０の動作について説明する。
【００２１】
図３は、以下に説明するに一連の動作のフローを示す図である。図３を参照して動作を説明する。
【００２２】
ＬＥＤ点灯装置１１０に商用交流電源１を投入すると、整流回路２は商用交流電源１から供給される交流電圧を整流し、直流電圧に変換する。得られた直流電圧により第１平滑コンデンサ６が充電され、制御電源回路２０が起動する。制御電源回路２０は制御回路に電源を供給するため、制御回路に適した電圧、例えば１５Ｖや５Ｖ等に変換する。
【００２３】
制御ＩＣ１７に制御電源が投入されると、昇圧チョッパ回路７が動作を開始する。第１スイッチング素子４がオンすると、整流回路２→第１インダクタ３→第１スイッチング素子４→整流回路２の経路で電流が流れ、第１インダクタ３にエネルギーを蓄える。次に第１スイッチング素子４がオフすると、整流回路２→第１インダクタ３→ダイオード５→第１平滑コンデンサ６→整流回路２の経路で電流が流れ、第１インダクタ３に蓄えられたエネルギーを第１平滑コンデンサ６に充電する。第１平滑コンデンサ６には電源電圧と第１インダクタ３の逆起電力の両方が印加されるため、電源電圧よりも昇圧された電圧が発生する。このとき、第１制御ＩＣ１７は入力電流波形を電源電圧波形と同位相で正弦波状になるように第１スイッチング素子４のスイッチングを制御するため、入力電流波形が正弦波となり、高力率となる。
【００２４】
制御ＩＣ１８に制御電源が投入されると、降圧チョッパ回路１２が動作を開始し、ＬＥＤ１３に電流が供給される。具体的には第２スイッチング素子８がオンすると、第１平滑コンデンサ６→第２スイッチング素子８→第２インダクタ９→第２平滑コンデンサ１１→第１平滑コンデンサ６の経路で電流が流れ、第２インダクタ９がエネルギーを蓄える。第２スイッチング素子８がオフすると、第２インダクタ９に蓄えられたエネルギーが放出され、第２インダクタ９→第２平滑コンデンサ１１→環流ダイオード１０→第２インダクタ９の経路で電流が流れる。第２平滑コンデンサ１１からはＬＥＤ１３に電流が供給されるが、第２平滑コンデンサ１１はこのときＬＥＤ電流の脈動を抑制し、平滑化する役目を果たす。第２スイッチング素子８のオンデューティ比を調節することで、ＬＥＤ１３に流れる電流を調節することができる。
【００２５】
オペアンプ１６に電源が投入されると、オペアンプ１６が動作を開始する。ＬＥＤ電流検出抵抗１４によりＬＥＤ電流が電圧信号に変換されて検出され、検出された信号（以後、検出信号と呼ぶ）はオペアンプ１６の反転入力端子に入力される。検出信号は、オペアンプ１６の非反転入力端子に入力される目標ＬＥＤ電流を指示する信号（以後、目標信号と呼ぶ）と比較される。本実施の形態１では、目標信号は制御電源回路２０の出力より分圧抵抗２２で分圧されてオペアンプ１６の非反転入力端子に入力される。
オペアンプ１６は抵抗１５とコンデンサ１９ｂで積分回路を構成している。この積分回路によって検出信号と目標信号とを比較して、例えば検出信号よりも目標信号の方が電圧が高い場合、オペアンプ１６の出力端子電圧は時間経過とともに上昇していく。オペアンプ１６の出力端子電圧が上昇すると制御ＩＣ１８のフィードバック制御端子電圧も上昇するため第２スイッチング素子８のオンデューティ比が増大し、ＬＥＤ電流は増加する。
【００２６】
目標信号より検出信号の方が電圧が高い場合、オペアンプ１６の出力端子電圧は時間経過とともに出力電圧が低下していく。オペアンプ１６の出力端子電圧が低下すると制御ＩＣ１８のフィードバック制御端子１８ａの電圧も減少するため、第２スイッチング素子８のオンデューティ比も減少し、ＬＥＤ電流は減少する。このよう検出信号と目標信号をオペアンプ１６で比較し、両者の差が小さくなる方向に第２スイッチング素子８のデューティ比を制御して、定電流フィードバック制御を行う。
【００２７】
前述の通り、商用交流電源１が投入され、制御電源回路２０が起動すると制御ＩＣ１７、制御ＩＣ１８、オペアンプ１６に同時に制御電源が投入される。しかしながら、制御電源が各ＩＣ、オペアンプに同じタイミングで投入されたとしても、各ＩＣ、オペアンプが起動を開始するタイミングは使用する制御ＩＣ、オペアンプにより異なり、同時には起動するとは限らない。本実施の形態１では、制御ＩＣ１８よりオペアンプ１６の方が先に起動した場合についてその動作について述べる。なお、制御ＩＣ１７及び昇圧チョッパ回路７の動作については、本実施の形態１には直接関係しないため、説明を省略する。
【００２８】
商用交流電源１を投入すると制御電源回路２０が起動し、制御ＩＣ１８及びオペアンプ１６に制御電源が供給される。まずオペアンプ１６が先に動作を開始し、制御ＩＣ１８は起動していない状態とする。ここで、オフセット信号印加回路２１によるオフセット信号が印加されていない場合、制御ＩＣ１８がまだ動作していないため、ＬＥＤ電流がまだ流れておらず、検出信号の電圧はゼロである。一方、目標信号は制御電源回路２０が動作すると同時にオペアンプの非反転入力端子に入力されるため、オペアンプ１６の出力端子の電圧が時間経過ともに上昇していき、最終的にはオペアンプ１６が出力できる最大電圧まで上昇することとなる。
【００２９】
この状態で、次に制御ＩＣ１８が起動を開始し、制御ＩＣ１８から第２スイッチング素子８をオン・オフする駆動信号が出力される。これより、駆動回路２４を介して第２スイッチング素子８が駆動を開始し、ＬＥＤが点灯する。ここで、第２スイッチング素子８の駆動開始時は、オペアンプ１６の出力端子電圧が高い状態となっているため、制御ＩＣ１８は最大オンデューティ比の駆動信号で、第２スイッチング素子２を駆動する。したがって起動時に大きなＬＥＤ電流が流れることとなる。その後はＬＥＤ電流検出抵抗１４によりＬＥＤ電流が検出され、フィードバック制御が働く。このため、所定のＬＥＤ電流値でＬＥＤが点灯する。このように制御ＩＣ１８とオペアンプ１６との起動開始時間が異なるため、オペアンプ１６が先に起動した場合、フィードバックの遅れにより、ＬＥＤ点灯開始時に瞬間的に過大な電流が流れ、ＬＥＤが一瞬明るく光る、いわゆる閃光を発生する。ＬＥＤの閃光は不快な眩しさを発生させるだけでなく、過大な電流によりＬＥＤの最大定格電流をオーバーした場合、最悪ＬＥＤが破壊する恐れがある。
【００３０】
そこで、本実施の形態１においては電源投入時のＬＥＤの閃光を抑制するため、まず、オペアンプ１６の非反転入力端子にスイッチ部２３を設け、商用電源を投入して、制御電源回路２０が起動すると同時に所定期間スイッチ部２３をオンする構成としている。スイッチ部２３をオンすることにより、オペアンプ１６の非反転入力端子はグラウンド電位となり、目標信号の電圧が理想的にはゼロとなる。スイッチ部２３はトランジスタまたはＭＯＳＦＥＴ等の半導体スイッチで構成される。
【００３１】
しかしながら、スイッチ部としてトランジスタを用いた場合はコレクタ端子を非反転入力端子に接続し、エミッタ端子をグラウンドに接続するが、厳密にはコレクタ−エミッタ間に飽和電圧が発生するため、目標信号の電圧はゼロにはならない。また、スイッチ部としてＭＯＳＦＥＴを用いた場合もドレイン−ソース間にオン抵抗が存在するため、目標信号の電圧はゼロにはならない。よってＬＥＤに電流が流れていない場合、すなわち検出信号の電圧がゼロのとき、トランジスタの飽和電圧またはＭＯＳＦＥＴのオン抵抗による電圧降下によりオペアンプの非反転入力端子に電圧（第１の目標信号）が印加され、結局、オペアンプ出力端子の電圧は上昇していき、起動時にＬＥＤが閃光する。したがって、スイッチ部２３とともにオフセット信号印加回路２１をさらに設けている。
【００３２】
まず、商用電源投入により、制御電源回路２０が起動し、制御ＩＣ１８、オペアンプ１６に制御電源が投入され、先にオペアンプ１６が起動し、制御ＩＣ１８がまだ起動していない状態とする。図２は、この状態のオペアンプ１６、コンデンサ１９ｂ、抵抗１５からなる積分回路と、オフセット信号印加回路２１の回路部分を示し、スイッチ部２３がオンしている状態を等価的に表わしている。電圧源２３ａは、スイッチ部２３をオンした状態で、上述のとおりスイッチ部２３としてトランジスタまたはＭＯＳＦＥＴを用いた場合の、トランジスタの飽和電圧またはＭＯＳＦＥＴのオン抵抗による電圧降下を示している。電圧源１４ａはＬＥＤ電流検出抵抗１４による電圧降下を表わしている。ＬＥＤ電流はまだ流れていないので、電圧源１４ａの電圧はゼロである。図中のＩ１、Ｉ２は抵抗１５、抵抗２１ａを流れる電流で、矢印の向きを正とする。Ｖｏはオペアンプの出力電圧を表わす。
【００３３】
オペアンプの出力電圧Ｖｏは、
【００３４】
【数１】
2011249174.tif 000003
【００３５】
で表わされる。
ここで、電圧源１４ａの電圧をＶ１４ａ、電圧源２１ｂの電圧をＶ２１ｂ、電圧源２３ａの電圧をＶ２３、抵抗１５の抵抗値をＲ１５、抵抗２１ａの抵抗値をＲ２１ａ、コンデンサ１９ｂの静電容量をＣ１９としている。この状態ではＶ１４ａ＝０であるため、Ｖ１４ａ＜Ｖ２３ａとなり、電流Ｉ１は負の値である。そこでオフセット信号印加回路２１の電流Ｉ２により「Ｉ１＋Ｉ２」の合計電流が正となれば、オペアンプ出力電圧Ｖｏは式１より減少する方向となることがわかる。逆に「Ｉ１＋Ｉ２」の合計電流が負であると、オペアンプ出力電圧は上昇していき、前述の通り、起動時にＬＥＤの閃光が発生する。
そこで、Ｉ１＋Ｉ２＞０となるように電圧源２１ｂの電圧を決定する。
従ってＶ２１ｂは式２で表わされる。
【００３６】
【数２】
2011249174.tif 000004
【００３７】
ここで、Ｖ１４ａはここではＬＥＤ電流が流れていないのでゼロとなり、式３の条件を満たすように電圧源２１ｂの電圧Ｖ２１ｂを設定する。
【００３８】
【数３】
2011249174.tif 000005
【００３９】
式３の条件を満たすようにオフセット信号印加回路の電圧を設定することにより制御ＩＣ１８が起動する前のＬＥＤ電流が流れない期間において、オペアンプの出力電圧が上昇することを防止することができる。すなわち制御ＩＣ１８の起動時は、制御ＩＣ１８のフィードバック制御端子１８ａの電圧が、オペアンプが出力できる最小電圧まで低下するため、第２スイッチング素子８の駆動信号はオンデューティ比が最小、またはデューティ比０％の信号となる。
すなわちオフセット信号印加回路２１は、フィードバック制御部５０による降圧チョッパ回路１２に対する制御が、ＬＥＤ電流を減少させる制御となるように、検出された電圧信号を補正する。
【００４０】
その後、スイッチ部２３がオフして、オペアンプ１６の非反転入力端子に目標信号（第２の目標信号）が入力される。するとオペアンプ１６の出力端子電圧は上昇に転じ、それに伴って第２スイッチング素子８のオンデューティ比が増加して、ＬＥＤに目標信号の電圧レベルに対応する電流が流れ、点灯する。
【００４１】
以上のように、オペアンプ１６のＬＥＤ電流を検出する端子にオフセット信号印加回路２１を設けることにより、制御ＩＣ１８が起動時に、制御ＩＣ１８は第２スイッチング素子８の駆動信号のオンデューティ比を下限状態から出力することができるため、起動時に大きな電流がＬＥＤに流れることを防止でき、点灯開始時の不快な閃光を防ぐことができる。また、ＬＥＤの最大定格電流をオーバーすることを抑制する。
【００４２】
なお、通常点灯中も検出信号にはオフセット信号が加わった状態であるため、目標信号はこれを考慮して設定する必要がある。また、例えば図４に示すようにオフセット信号印加回路２１にスイッチ部２５を設け、電源投入（点灯指示信号の一例）時に所定期間のみスイッチ部２５をオンしてオフセット信号を印加することで同様にＬＥＤの閃光を抑制することができる。この場合、図２の電圧源２３ａは分圧抵抗２２により設定された電圧の値として式３のＶ２３ａに代入し、電圧源２１ｂの電圧を決定する。通常動作中はオフセット信号印加回路２１がスイッチ部２５により切り離されるため、目標信号にオフセット信号印加分を考慮する必要はない。
このように、オフセット信号印加回路２１は、電源投入時（点灯指示信号の入力時）から所定期間だけ、ＬＥＤ電流に対応する検出電圧を補正する。
【００４３】
ところで、実施の形態１においては力率改善回路（昇圧チョッパ回路７）を用いているが、力率改善が必要ない場合は、昇圧チョッパ回路７は省略することができ、例えばコンデンサインプット型整流回路を用いればよい。その場合、第１制御ＩＣ１７は必要ない。また、ＬＥＤに電流を供給する回路として降圧チョッパ回路を用いているが、ＬＥＤに電流を供給できる回路方式であれば他の回路方式でもよく、例えばフライバックコンバータなどでもよい。
【００４４】
実施の形態１のＬＥＤ点灯装置１１０によれば、ＬＥＤ電流検出信号にオフセット信号を重畳するため、ＬＥＤが消灯時は、ＬＥＤ電流フィードバック制御回路がＬＥＤ目標値よりＬＥＤ電流検出値の方が大きいと判断し、ＬＥＤ点灯開始時にＬＥＤ電流フィードバック制御回路は、ＬＥＤ点灯装置のスイッチング素子駆動信号をデューティ比下限状態から出力するようにする。このため、ＬＥＤ点灯開始時に過大な電流がＬＥＤに流れることを防止でき、点灯開始時の不快な閃光を防ぐことができる。また、ＬＥＤの最大定格電流をオーバーすることを抑制する。従って簡単な回路構成でＬＥＤ点灯開始時の閃光の発生及びＬＥＤの最大定格電流を超えることを抑制することができる。
【００４５】
実施の形態２．
次に図５、図６を参照して実施の形態２のＬＥＤ点灯装置１２０を説明する。
図５はＬＥＤ点灯装置１２０の回路図である。図５において、商用交流電源１、ＬＥＤ１３及び調光コントローラ２６以外は、ＬＥＤ点灯装置１２０の構成要素である。実施の形態１の図１と異なる部分は、調光コントローラ２６、調光信号絶縁回路２７、マイクロコンピュータ２８、ＰＷＭ信号平滑回路２９を設けたことである。調光信号絶縁回路２７、マイクロコンピュータ２８、ＰＷＭ信号平滑回路２９は、目標信号を生成する目標信号生成部を構成する。この目標信号生成部は、調光信号の指示する光出力に対応する目標信号を生成する。本実施の形態２は、実施の形態１のＬＥＤ点灯装置１１０に調光機能を付加したもので、実施の形態１と同様の部分については説明を省略する。
【００４６】
調光コントローラ２６（調光信号送信装置の一例）はＬＥＤ点灯装置１２０の外部に設けられ、ユーザーがＬＥＤの明るさを任意の調光率に設定するため、ＬＥＤ点灯装置１２０に調光率を指定する信号（以下、調光信号）を出力（送信）する装置である。調光コントローラ２６は例えば壁に設けられたボリュームや、リモコンであり、これらの操作により調光率を設定する。調光コントローラ２６からは、調光信号として例えばＰＷＭ信号が出力され、ＰＷＭ信号のデューティ比により設定調光率が決まる。本実施の形態２では、調光コントローラ２６から出力されたＰＷＭ信号はＬＥＤ点灯装置１２０に入力され、ＬＥＤ点灯装置１２０内部で調光信号絶縁回路２７により電気的に絶縁され、マイクロコンピュータ２８に入力される。調光信号絶縁回路２７は、例えばフォトカプラが用いられる。
【００４７】
マイクロコンピュータ２８に入力されたＰＷＭ信号はマイクロコンピュータ２８のソフトウェア処理によりＰＷＭ信号のデューティ比を算出し、そのデューティ比に応じてＬＥＤ電流の目標値を決定する。マイクロコンピュータ２８は決定したＬＥＤ電流目標値をオペアンプ１６に目標信号として与えるため、ＰＷＭ信号を出力する。マイクロコンピュータ２８から出力されたＰＷＭ信号はＰＷＭ信号平滑回路２９によって直流電圧に平滑化される。ＰＷＭ信号平滑回路２９は、抵抗３０、コンデンサ３１により、ＰＷＭ信号を直流電圧に変換する機能を有する。
【００４８】
この直流電圧が目標信号となり、オペアンプ１６の非反転入力端子に入力される。なお、本実施の形態では、マイクロコンピュータ２８より出力されるＰＷＭ信号はトランジスタ３２により信号を反転している。したがってマイクロコンピュータ２８より出力されるＰＷＭ信号のオンデューティが小さい場合、オペアンプ１６に入力される目標信号の電圧は高くなり、ＬＥＤ電流は大きくなる。ＰＷＭ信号のオンデューティ比が大きい場合はオペアンプ１６に入力される目標信号の電圧は低くなり、ＬＥＤ電流は小さくなる。
【００４９】
以上、本実施の形態２に係るＬＥＤ点灯装置１２０の調光機能に関する構成について説明した。次に、本実施の形態２に係るＬＥＤ点灯装置１２０の動作について説明する。なお、実施の形態１と同様の動作については説明を省略する。
【００５０】
電源を投入すると制御電源回路２０が起動し、制御ＩＣ１７、制御ＩＣ１８、オペアンプ１６に制御電源が投入される。実施の形態１で述べたとおり、各制御ＩＣ、オペアンプの起動時間が異なる。オペアンプ１６が制御ＩＣ１８より先に動作を開始すると実施の形態１で述べた理由により、ＬＥＤに瞬間的に過大な電流が流れ、閃光する恐れがある。そこで、実施の形態１と同様、オペアンプ１６の反転入力端子にオフセット信号印加回路２１を設けている。オフセット信号印加回路２１は図１においては電圧源２１ｂを用いていたが、図５のように制御電源回路２０から分圧抵抗２１ｃ、２１ｄを用いて印加しても良い。
【００５１】
本実施の形態２のＬＥＤ点灯装置１２０では、調光コントローラ２６によりＬＥＤを任意の明るさに調光できる機能を有する。ＬＥＤ点灯装置１２０では、いかなる調光位置においてもＬＥＤ点灯開始時にＬＥＤの閃光を抑制するため、電源投入後に制御ＩＣ１８が起動するまでの所定期間、マイクロコンピュータ２８は、ＰＷＭ信号平滑回路２９を介して直流化された電圧、すなわちコンデンサ３１に印加される電圧（ＶＰＷＭとする）が式４を満たすようにＰＷＭ信号のオンデューティ比を設定する。
【００５２】
【数４】
2011249174.tif 000006
【００５３】
ここで、式４は式３のＶ２３ａがＶＰＷＭに、Ｖ２１ｂがＶ２１ｄに変わったものである。Ｖ２１ｄは、分圧抵抗２１ｄに印加される電圧値のことである。これにより、制御ＩＣ１８よりオペアンプが先に起動したとしても、制御ＩＣ１８が起動するまではオペアンプ１６の出力端子電圧は減少する方向となる。本実施の形態２においてはデューティ比を１００％とすることにより、ＶＰＷＭを最小にすればよい。
【００５４】
従って、制御ＩＣ１８の起動時は、制御ＩＣ１８のフィードバック制御端子１８ａの電圧がオペアンプ１６の出力できる最小電圧まで低下するため、第２スイッチング素子８の駆動信号はオンデューティ比が最小、またはデューティ０％の状態から起動が開始する。制御ＩＣ１８起動後にマイクロコンピュータ２８は、調光コントローラ２６からの調光信号で決定するＰＷＭ信号を出力する。これによりオペアンプ１６の出力端子電圧は上昇していき、これに伴って第２スイッチング素子８の駆動信号のデューティ比が増加していく。従ってＬＥＤ電流が上昇し、目標信号と検出信号がほぼ等しくなるようにフィードバック制御が働く。なお、通常点灯中も検出信号にはオフセット信号が加わった状態であるが、これは単に目標信号を、オフセット信号を考慮して設定すれば良い。
【００５５】
このようにオペアンプ１６のＬＥＤ電流を検出する端子にオフセット信号印加回路２１を設けることにより、制御ＩＣ１８が起動時に第２スイッチング素子８の駆動信号のオンデューティ比を下限状態から起動することができる。このため、起動時に大きな電流がＬＥＤに流れることを防止でき、点灯開始時の不快な閃光を防ぐことができる。また、使用するＬＥＤの最大定格電流をオーバーすることを抑制する。
【００５６】
また、制御ＩＣ１８起動後にマイクロコンピュータ２８が目標信号を出力するため、いかなる調光位置においても閃光が発生することなく、スムーズな点灯開始が可能である。ここで、図６に示すように、マイクロコンピュータ２８から出力される目標信号のオンデューティ比を制御ＩＣ１８起動後、徐々に減少させて、ＰＷＭ信号平滑回路２９の出力直流電圧を徐々に上昇させていくことにより、ＬＥＤ電流の立ち上がりが緩やかになり、さらに滑らかな点灯始動が可能となる。
【００５７】
図６においては、電源投入後、まずマイクロコンピュータ２８のＰＷＭ信号出力は１００％オンデューティ比の信号を出力することにより、オペアンプ１６の非反転入力端子の電圧は最小にすることができ、式４を満たすようにしている。次に制御ＩＣ１８が図６における制御ＩＣ１８動作開始点で起動したとすると、その後マイクロコンピュータ２８はＰＷＭ信号出力を１００％オンデューティ比から徐々に減少させ、ＰＷＭ信号平滑回路２９の出力電圧（コンデンサ３１電圧）が徐々に上昇するようにしている。これに伴ってＬＥＤ電流は徐々に流れ始める（図中フェード期間）。マイクロコンピュータ２８のＰＷＭ信号出力が調光コントローラ２６により指示される目標値に達したら、そこでＰＷＭ信号のオンデューティ比の変化が停止する。その状態で以降、点灯を維持する。このようにして、点灯始動時のＬＥＤ電流の立ち上がりを緩やかにして、滑らかにＬＥＤ点灯を始動させることができる。
【００５８】
以上のように、調光機能を有するＬＥＤ点灯装置１２０において、オペアンプ１６のＬＥＤ電流を検出する端子にオフセット信号印加回路２１を設けることにより、いかなる調光位置においても第２スイッチング素子８を下限デューティから駆動開始することができる。このため、起動時に過大な電流がＬＥＤに流れることを防止でき、点灯開始時の不快な閃光を防ぐことができる。また、使用するＬＥＤの最大定格電流をオーバーすることを抑制でき、ＬＥＤの破壊を防止することができる。
【００５９】
なお、本実施の形態２においては力率改善回路（昇圧チョッパ回路７）を用いているが、力率改善が必要ない場合は、昇圧チョッパ回路７は省略することができ、例えばコンデンサインプット型整流回路を用いればよい。その場合、第１制御ＩＣ１７は必要ない。また、ＬＥＤに電流を供給する回路として降圧チョッパ回路を用いているが、ＬＥＤに電流を供給できる回路方式であれば他の回路方式でもよく、例えばフライバックコンバータなどでもよい。
また、同一の照明器具にＬＥＤ点灯装置１２０と調光コントローラ２６を組み込んでもよい。この場合、ＬＥＤ点灯装置１２０と調光コントローラ２６の基準電位を等しくできるので、調光信号絶縁回路２７を省略することもできる。
【００６０】
実施の形態３．
図７〜図９を参照して実施の形態３を説明する。
図７は、実施の形態３のＬＥＤ点灯装置１３０の回路構成を示す図である。
図５に示す実施の形態２の回路図と異なる部分は、制御電源回路２０から制御ＩＣ１７、制御ＩＣ１８及びオペアンプ１６へ制御電源を供給する経路に、直列にスイッチ部３３を設けたことと、商用電源検出回路３８（商用電源検出部の一例）を設けたことである。
【００６１】
次に動作について説明するが、実施の形態２と同様の回路動作については説明を簡略化する。
【００６２】
調光コントローラ２６から調光信号が出力され、ＬＥＤ点灯装置１３０が所定の調光率でＬＥＤを点灯しているとする。点灯中の回路の動作については実施の形態２と同様である。ここで、調光コントローラ２６から消灯を指示する信号が出力されたとする。消灯を指示する信号（以後、消灯信号）とは、例えば調光コントローラ２６からオンデューティ１００％の信号が出力された際、ＬＥＤ点灯装置１３０はこれを判断して、ＬＥＤを消灯する。実施の形態３においては、調光コントローラ２６より消灯信号が出力されると、マイクロコンピュータ２８（商用電源監視部の一例）はスイッチ部３３をオフし、制御ＩＣ１７、制御ＩＣ１８及びオペアンプ１６への制御電源の供給を遮断し、ＬＥＤを消灯する。
【００６３】
次に再び調光信号が調光コントローラ２６よりＬＥＤ点灯装置１３０に入力され、ＬＥＤの点灯が指示された場合、再度スイッチ部３３がオンし、制御ＩＣ１７、制御ＩＣ１８及びオペアンプ１６に制御電源回路２０より制御電源が供給され、再びＬＥＤが点灯する。このとき、実施の形態２で述べたように、オフセット信号印加回路２１を設けているのでＬＥＤの閃光を抑制することができる。
【００６４】
電源電圧検出回路３８は、ＬＥＤ点灯中に商用電源が遮断された場合、これを検出し、この検出に応動してマイクロコンピュータ２８がスイッチ部３３をオフし、制御ＩＣ１７、制御ＩＣ１８及びオペアンプ１６への制御電源の供給を断ち、ＬＥＤを消灯する。再び商用電源を投入した場合、電源電圧検出回路３８はこれを検出してマイクロコンピュータ２８がスイッチ部３３をオンし、制御ＩＣ１７、制御ＩＣ１８及びオペアンプ１６に制御電源を供給して再びＬＥＤを点灯する。このとき、実施の形態２で述べたように、オフセット信号印加回路２１を設けているのでＬＥＤの閃光を抑制することができる。
【００６５】
しかしながら、消灯信号を入力し、ＬＥＤが消灯後にすぐ調光信号を入力して点灯復帰させる場合、または商用電源を遮断後すぐに商用電源を再投入した場合、ＬＥＤ消灯時はマイクロコンピュータ２８より出力されるＰＷＭ信号のオンデューティ比を例えばデューティ１００％をすると、トランジスタ３２によりコンデンサ３１の電荷が引き抜かれ、コンデンサ３１の電圧は低下する。ここで、すぐＬＥＤを再点灯させると、まだコンデンサ３１に電荷が残った状態となっているため、式４の条件を満たさず、この場合、実施の形態１で述べた理由によりＬＥＤに瞬間的に過大な電流が流れ、閃光する恐れがある。
【００６６】
そこで、実施の形態３では、消灯信号入力または商用電源の遮断の際に、スイッチ部３３をオフしてから、所定の期間内に調光信号入力などによる点灯を指示する信号が入力された場合や、商用電源が投入された場合は、この所定期間はスイッチ部３３をオンしないようにする。そして所定期間が経過した後、スイッチ部３３をオンして、制御ＩＣ１７、制御ＩＣ１８及びオペアンプ１６に制御電源を供給してＬＥＤを点灯させる。
図８は、この一連の動作を示す図である。
【００６７】
図８中のスイッチ部３３のＯＮは、スイッチ部３３が導通状態で、制御電源回路２０から制御ＩＣ１７、制御ＩＣ１８、オペアンプ１６に制御電源が供給されている状態で、スイッチ部３３のＯＦＦはスイッチ部３３が遮断状態で、制御電源の供給が断たれている状態である。オペアンプ１６、制御ＩＣ１８のＯＮはオペアンプ１６または制御ＩＣ１８に制御電源が供給され、動作状態であることを示す。オペアンプ１６、制御ＩＣ１８のＯＦＦは、制御電源が遮断され、動作が停止している状態か、または制御電源が投入されていても、制御電源投入直後のため、起動に至っていない状態を示している。目標信号はＰＷＭ信号平滑回路２９により平滑化されたコンデンサ３１の電圧、すなわちオペアンプ１６の非反転入力端子に入力される信号の電圧レベルを示している。
【００６８】
まず、ＬＥＤが通常点灯しているとする（図８中の（１）期間）。このとき、商用電源は通電状態で、スイッチ部３３は導通しており、オペアンプ１６、制御ＩＣ１８はＯＮしている。目標信号は調光コントローラ２６の調光信号によって決まる電圧となっている。ＬＥＤにはこの目標信号の電圧に応じた電流が供給され、点灯している。
【００６９】
次に商用電源が遮断されたとする（図８中の（２）期間）。すると電源電圧検出回路３８により電源電圧が遮断されたことをマイクロコンピュータ２８が検出し、スイッチ部３３をオフする。それに伴ってオペアンプ１６、制御ＩＣ１８への制御電源が遮断され、オフ状態となる。マイクロコンピュータ２８はコンデンサ３１の電圧をすばやく引き下げるため、マイクロコンピュータ２８から出力される調光指令値信号のオンデューティ比を例えばデューティ１００％に設定する。しかしながら目標信号の波形から分かるように、商用電源の遮断直後はコンデンサ３１に電荷が残った状態となっている。なお、商用電源遮断後もしばらくは制御電源回路から電源が供給可能であり、マイクロコンピュータ２８も動作可能である。これは第１平滑コンデンサ６に電荷がしばらくの間、蓄積されているためである。
【００７０】
次に、商用電源が再投入されたとする（図８中の（３）期間）。このとき、前述の通り、目標信号の電圧が残っている状態である。このため、ここでスイッチ部３３をオンしてしまうと、前述の通り式４の条件を満たさず、ＬＥＤに瞬間的に過大な電流が流れ、閃光する恐れがある。そこで、商用電源が遮断されてから所定期間内に商用電源が再投入された場合、スイッチ部３３のオンするタイミングを遅延させる。図８においては、目標信号の電圧レベルが十分低下し、式４の条件を満たす電圧以下となってからスイッチ部３３をオンしている（図８中の（４）期間）。
【００７１】
スイッチ部３３がオンするとオペアンプ１６、制御ＩＣ１８に制御電源が投入されるが、図８ではオペアンプ１６が先に起動を開始している。その後制御ＩＣ１８が起動してから目標信号としてＰＷＭ信号がマイクロコンピュータ２８から出力され、目標信号の電圧が上昇していく（図８中の（５）期間）。これよりＬＥＤは目標信号に応じた電流値で点灯することとなる。
【００７２】
図９は消灯信号によりＬＥＤを消灯し、その直後に再び調光信号を入力させ、ＬＥＤを点灯する場合の動作シーケンスである。ここでは消灯信号をＤｕｔｙ１００％としてＬＥＤ点灯装置１３０に入力している。調光信号（消灯信号）に応じてスイッチ部３３を制御しており、その他の動作は図８と同様であるため、説明を省略する。
【００７３】
このように、ＬＥＤを再点灯させる際にスイッチ部３３をオンしない期間を設け、所定期間ＬＥＤの点灯を遅延させることにより、この所定期間中にＰＷＭ信号平滑回路２９を構成するコンデンサ３１の電荷が放電し、ＬＥＤ点灯時にはコンデンサ３１の電圧は式４を満たす電圧以下となり、ＬＥＤ点灯時の閃光を抑制することができる。なお、ＬＥＤが消灯してから所定期間経過後に調光信号投入、または商用電源を投入した場合は、スイッチ部３３のオンを所定期間遅らせる必要はなく、瞬時にスイッチ部３３をオンすればよい。これによりＬＥＤの点灯を瞬時に行うことができる。すなわち消灯信号が入力または商用電源が遮断され、スイッチ部３３がオフしてからカウントを開始し、所定カウント範囲内においてはスイッチ部３３をオンしない期間を設け、所定カウントを超えた場合においては調光信号入力または商用電源投入により瞬時にスイッチ部３３をオンすれば良い。
【００７４】
以上のように、ＬＥＤが消灯直後にすぐＬＥＤを再点灯させる場合は、所定期間、制御ＩＣ１８及びオペアンプ１６への制御電源投入を遅延させることにより、起動時に過大な電流がＬＥＤに流れることを防止でき、点灯開始時の不快な閃光を防ぐことができる。また、使用するＬＥＤの最大定格電流をオーバーすることを抑制でき、ＬＥＤの破壊を防止することができる。
【００７５】
なお、本実施の形態３においては力率改善回路（昇圧チョッパ回路７）を用いているが、力率改善が必要ない場合は、昇圧チョッパ回路７は省略することができる。例えばコンデンサインプット型整流回路を用いればよい。その場合、第１制御ＩＣ１７は必要ない。また、ＬＥＤに電流を供給する回路として降圧チョッパ回路を用いているが、ＬＥＤに電流を供給できる回路方式であれば他の回路方式でもよく、例えばフライバックコンバータなどでもよい。
【００７６】
実施の形態４．
図１０は、実施の形態４に係るＬＥＤ照明器具１０００の側断面図である。照明器具本体４０の内部には、実施の形態１〜３のいずれかで説明したＬＥＤ点灯装置１１０〜１３０が収納され、電源線４２、コネクタ４３を介して商用電源に接続される。ＬＥＤパッケージ４４を実装したＬＥＤ実装基板４５は照明器具本体４０の発光面に装着され、配線４６によりＬＥＤ点灯装置に接続され、照明器具を形成する。
【００７７】
本実施の形態４に係る照明器具によれば、各実施の形態で述べたＬＥＤ点灯装置を組み込むことができ、ＬＥＤ点灯装置を組み込んだ照明器具は、商用電源投入時または調光信号入力時のＬＥＤ点灯開始時に過大な電流がＬＥＤに流れることを防止でき、点灯開始時の不快な閃光を防ぐことができる。また、使用するＬＥＤの最大定格電流をオーバーすることを抑制でき、ＬＥＤの破壊を防止することができる。
【符号の説明】
【００７８】
１  商用交流電源、２  整流回路、３  第１インダクタ、４  第１スイッチング素子、５  ダイオード、６  第１平滑コンデンサ、７  昇圧チョッパ回路、８  第２スイッチング素子、９  第２インダクタ、１０  環流ダイオード、１１  第２平滑コンデンサ、１２  降圧チョッパ回路、１３  ＬＥＤ、１４  ＬＥＤ電流検出抵抗、１５  抵抗、１６  オペアンプ、１７  第１制御ＩＣ、１８  第２制御ＩＣ、１９  ダイオード、２０  制御電源回路、２１  オフセット信号印加回路、２２  分圧抵抗、２３  スイッチ部、２４  駆動回路、２５  スイッチ部、２６  調光コントローラ、２７  調光信号絶縁回路、２８  マイクロコンピュータ、２９  ＰＷＭ信号平滑回路、３０  抵抗、３１  コンデンサ、３２  トランジスタ、３３  スイッチ部、４０  照明器具本体、４２  電源線、４３  コネクタ、４４  ＬＥＤパッケージ、４５  ＬＥＤ実装基板、４６  配線、１１０，１２０，１３０  ＬＥＤ点灯装置、１０００  照明器具。
【図１】
2011249174.tif 000007
【図２】
2011249174.tif 000008
【図３】
2011249174.tif 000009
【図４】
2011249174.tif 000010
【図５】
2011249174.tif 000011
【図６】
2011249174.tif 000012
【図７】
2011249174.tif 000013
【図８】
2011249174.tif 000014
【図９】
2011249174.tif 000015
【図１０】
2011249174.tif 000016